(57)【要約】【目的】本発明は、土木作業などにおいて、通称タイヤショベルやダンプなどのタイヤホイールに土砂、石、飼料、泥、ゴミなどがたまるのを防止することにより、作業中の土砂、石、飼料、泥、ゴミなどが意図しない作業範囲へ散乱することを防止し、作業終了後には作業員がタイヤショベルやダンプなどのタイヤホイールにたまった土砂、石、飼料、泥、ゴミなどを、主にほうきや高圧水洗浄装置を使用して取り除く作業を行うといった手間を省く車輌ホイール用ゴミたまり防止具に関するものである。【構成】ゴミ払い板にねじ止め孔を設けてなる車輌ホイール用ゴミたまり防止具を構成する。【選択図】　図１
2004075035.tif 000002
【特許請求の範囲】
【請求項１】
ゴミ払い板にねじ止め孔を設けてなる車輌ホイール用ゴミたまり防止具。
【請求項２】
略山形ゴミ払いにねじ止め孔を設けてなる車輌ホイール用ゴミたまり防止具。
【請求項３】
請求項１から請求項２に記載のゴミ払い板および略山形ゴミ払いをエンボス加工してなる車輌ホイール用ゴミたまり防止具。
【請求項４】
請求項１から請求項３に記載の車輌ホイール用ゴミたまり防止具を設けた車輌用ホイール。
【発明の詳細な説明】
【０００１】
【発明の属する技術分野】
本発明は、土木作業時などにおいて、通称タイヤショベルやダンプなどのタイヤホイールにたまる土砂、石、飼料、泥、ゴミなどを自動的に取り除く車輌ホイール用ゴミたまり防止具に関するものである。
【０００２】
【従来の技術】
従来、土木作業時などにおいて、通称タイヤショベルやダンプなどのタイヤホイールに土砂、石、飼料、泥、ゴミなどがたまり、掻き揚げ作業のように目的物を一箇所に集める作業中には、そのたまった土砂、石、飼料、泥、ゴミなどがホイールからこぼれ落ちる。
そのため、意図しない場所に土砂、石、飼料、泥、ゴミなどを散乱させるために作業員や運転手がほうきやスコップなどで、その散乱した土砂、石、飼料、泥、ゴミなどを片つける手間があった。
また、作業終了時には作業員が上記タイヤショベルやダンプなどのタイヤホイールにたまった土砂、石、飼料、泥、ゴミなどを、主にほうきや高圧水洗浄装置を使用して取り除く作業を行う手間があった。
さらに、海岸付近での作業では土砂、石、飼料、泥、ゴミなどに塩分が含まれているために放置しておくとタイヤホイール自体の腐食の原因となる。
【０００３】
【発明が解決しようとする課題】
本発明は上記のような背景に着目して為されたものであり、以下、本発明が解決しようとする課題とする。
土木作業などにおいて、通称タイヤショベルやダンプなどのタイヤホイールに土砂、石、飼料、泥、ゴミなどがたまるのを防止することにより、作業中の土砂、石、飼料、泥、ゴミなどが意図しない作業範囲へ散乱することを防止し、作業終了後には作業員がタイヤショベルやダンプなどのタイヤホイールにたまった土砂、石、飼料、泥、ゴミなどを、主にほうきや高圧水洗浄装置を使用して取り除く作業を行うといった手間を省く車輌ホイール用ゴミたまり防止具を提供することを課題とする。
【０００４】
【課題を解決するための手段】
請求項１に記載の車輌ホイール用ゴミたまり防止具は、ゴミ払い板にねじ止め孔を設けてなることを特徴とするものである。
請求項２に記載の車輌ホイール用ゴミたまり防止具は、略山形ゴミ払いにねじ止め孔を設けてなることを特徴とするものである。
請求項３に記載の車輌ホイール用ゴミたまり防止具は、請求項１から請求項２に記載のゴミ払い板および略山形ゴミ払いをエンボス加工してなることを特徴とするものである。
請求項４に記載の車輌用ホイール及びリムは、請求項１から請求項３に記載の車輌ホイール用ゴミたまり防止具を設けたことを特徴とするものである。
【０００５】
【発明の実施の形態】
本発明の実施の形態を以下、図を参照して説明する。
図１は、本発明第一の実施の形態を示す斜視図であり、湾曲させたゴミ払い板の端部にねじ止め孔を設けてなる。
【０００６】
この発明を使用するときは、図２に示すように車輌用ホイールを車輌本体に固定するためのねじを、本発明のねじ止め孔に挿通し、そのねじを締め付け、本発明のゴミ払い板を固定して使用する。
【０００７】
図３は、本発明第二の実施の形態を示す斜視図であり、略山形ゴミ払いにねじ止め孔を設けてなる。
【０００８】
この発明を使用するときは、車輌用ホイールを車輌本体に固定するためのねじを、本発明のねじ止め孔に挿通し、そのねじを締め付け、本発明の略山形ゴミ払いを固定して使用する。
【０００９】
図４は、本発明第三の実施の形態を示す一実施例図であり、請求項１から請求項２に記載のゴミ払い板および略山形ゴミ払いをエンボス加工してなる。
【００１０】
この発明を使用するときは、図１、図３に記載の車輌ホイール用ゴミたまり防止具と同様に車輌用ホイールを車輌本体に固定するためのねじを、本発明のねじ止め孔に挿通し、そのねじを締め付け本発明の車輌ホイール用ゴミたまり防止具を固定し使用する。
【００１１】
尚、本発明を構成する素材は特に限定されるものではなく鉄やステンレスといった金属や、プラスチックやゴムなどどのようなものを使用してもかまわない。
【００１２】
また、本発明に記載の車輌ホイール用ゴミたまり防止具にはどのような模様や彩色を施してもかまわない。
【００１３】
更に、本発明に記載の車輌ホイール用ゴミたまり防止具の表面に汚れ付着防止効果のあるコーティングでフッ素塗装およびシリコンコーティングなどを施してもかまわない。
【００１４】
尚、本発明に記載のねじ止め孔の数は特に限定されるものではない。
【００１５】
尚、本発明に記載の車輌ホイール用ゴミたまり防止具は、一つの車両用ホイールに対して幾つでも取り付けてかまわない。
【００１６】
【発明の効果】
本発明を使用することにより、土木作業時などにおいて、通称タイヤショベルやダンプなどのタイヤホイールにたまっていた土砂、石、飼料、泥、ゴミなどが比較的短い時間で自動的に取り除かれるため、掻き揚げ作業のように目的物を一箇所に集める作業中には、たまった土砂、石、飼料、泥、ゴミなどが作業範囲外でホイールからこぼれ落ちることがなくなり、意図しない場所に土砂、石、飼料、泥、ゴミなどを散乱することを防ぎ、作業員や運転手がほうきやスコップなどで、その散乱した土砂、石、飼料、泥、ゴミなどを片つける手間がない。
また、作業終了時には作業員が上記タイヤショベルやダンプなどのタイヤホイールにたまった土砂、石、飼料、泥、ゴミなどを、主にほうきや高圧水洗浄装置を使用して取り除く作業があったが、その作業の手間を省く効果がある。
【００１７】
さらに、タイヤホイール自体の腐食の原因となっていた、海岸付近での作業でタイヤホイールにたまる塩分を含んだ土砂、石、飼料、泥、ゴミなどを作業中、比較的短い時間で自動的に取り除くことから、タイヤホイールに塩分を含んだ土砂、石、飼料、泥、ゴミなどが接触する時間が極めて短くなり、タイヤホイール自体の腐食を防止する効果が高い。
【００１８】
しかも、タイヤホイールに土砂、石、飼料、泥、ゴミなどがたまる時間が極めて短いためタイヤの重量増加を防止し、燃費の改善など車輌走行時におけるエネルギー損失を抑制できる。
【図面の簡単な説明】
【図１】図面１は、本発明第一の実施の形態を示す斜視図である。
【図２】図面２は、本発明第一の実施の形態の一実施例図である。
【図３】図面３は、本発明第二の実施の形態を示す斜視図である。
【図４】図面４は、本発明第三の実施の形態の一実施例図である
【符号の説明】
１、１Ａ、１Ｂ・・・車輌ホイール用ゴミたまり防止具
２、２Ａ・・・ゴミ払い板
３、３Ａ、３Ｂ・・・ねじ止め孔
４・・・略山形ゴミ払い
５・・・ねじ
６・・・車輌用ホイール
７・・・タイヤ
【図１】
2004075035.tif 000003
【図２】
2004075035.tif 000004
【図３】
2004075035.tif 000005
【図４】
2004075035.tif 000006